(57)【要約】      （修正有）【課題】煙突内に上昇気流が発生する非常時に作業区域の負圧状態を回復できる非常時用負圧除塵装置を提供する。【解決手段】非常時用負圧除塵装置１０は、煙突１２の上部と下部に作業区域１４、１６を設け、ウインチ１８に石綿除去装置２０を取り付けて、煙突内で石綿除去装置を昇降させ、石綿除去装置のノズルから噴射される高圧水でアスベスト断熱材２２を除去する場合に煙突の上部の作業区域１４に設置するものであって、作業区域１４の負圧状態を検知する負圧監視装置２８と、負圧監視装置が大気圧へ近づいた状態を検知した時に作動する警報機３０および負圧除塵装置本体３２と、負圧除塵装置本体の吸気口に設ける吸引ダクト３４とを備え、警報機が作動したとき、吸引ダクトの開口部を頂部煙突口３６に挿入して、気圧上昇を阻止できる。【選択図】図１
0003197063.tif 000002
【実用新案登録請求の範囲】
【請求項１】
アスベスト断熱材又は吹き付けアスベストを除去する作業区域の負圧状態を監視する負圧監視装置と、負圧監視装置が大気圧へ近づいた状態を検知した時に作動する警報機と、負圧監視装置が大気圧へ近づいた状態を検知した時に作動する負圧除塵装置本体とを備えることを特徴とする非常時用負圧除塵装置。
【請求項２】
煙突の上部と下部に作業区域を設け、吊り下げ装置に石綿除去装置を取り付けて、煙突内で石綿除去装置を昇降させ、石綿除去装置のノズルから噴射される高圧水でアスベスト断熱材を除去する場合に、煙突の上部の作業区域内又は外部に非常時用負圧除塵装置を設置し、非常時用負圧除塵装置の吸気口に吸引ダクトを設け、警報機が作動したとき、吸引ダクトの開口部を頂部煙突口に挿入することを特徴とする請求項１記載の非常時用負圧除塵装置。
【考案の詳細な説明】
【技術分野】
【０００１】
本考案は、アスベスト除去作業区域に設置される非常時用負圧除塵装置に関するものである。
【背景技術】
【０００２】
煙突のアスベスト断熱材（煙突の内壁を形成するアスベストライニング材）を除去する場合、煙突の上部と下部に作業区域を設け、ウインチ等の吊り下げ手段に石綿除去装置を取り付けて、煙突内で石綿除去装置を昇降させ、石綿除去装置のノズルから噴射される高圧水でアスベスト断熱材を除去するアスベスト除去方法が知られている（たとえば、特許文献１）。
【先行技術文献】
【特許文献】
【０００３】
【特許文献１】特開２００９−２３５７６２号公報（図１）
【考案の概要】
【考案が解決しようとする課題】
【０００４】
特許文献１に記載のアスベスト除去方法では、除去されたアスベスト断熱材は煙突の底部に落下し、底部付近の煙突に形成される排出口から取り出され、廃棄される。また、アスベスト除去作業の際、アスベスト粉塵が作業区域又はセキュリティーゾーンがから外部に漏れ出ないよう、下部の作業区域に負圧除塵装置を設置し、上部及び下部の作業区域を負圧状態に維持している。下部の作業区域に負圧除塵装置を設置することにより、煙突内に下降気流が起こり、アスベスト除去作業中に発生するアスベスト粉塵は、上部の作業区域には放出されず、煙突下部の排出口からのみ排出され、下部の作業区域に設置される負圧除塵装置に吸気され下部の作業区域の外部に排出される。
【０００５】
アスベスト断熱材の除去において、その除去作業中に下部作業区域の負圧除塵装置が停電で突然停止したり、煙突内のアスベスト断熱材が大量に剥落し煙突内がアスベスト断熱材で塞がれることがある。このような場合、煙突内の下降気流は遮断され、煙突内の除去に用いた高圧水は煙突内で熱エネルギーに変化するために温水と化してその水蒸気が煙突内にドラフト現象（上昇気流）を起こし、アスベスト粉塵およびアスベスト繊維を含む水蒸気が頂部煙突口に向かって移動する。
上昇気流が生じた場合、従来は、煙突頂部口をポリエチレン等にて塞いで頂部煙突口からアスベスト粉塵および水蒸気が放出されることを防いでいた。煙突の閉塞状態を解除する場合、頂部煙突口から閉塞解放作業等を行う必要があるが、ポリエチレンを取り除くと、上部の作業区域において、ドラフト現象の発生により大気圧状態へと移行し、最悪の場合加圧状態に至るおそれがある。また、この場合、アスベスト粉塵が上部の作業区域を経由してセキュリティーゾーンより外部に流出するおそれがある。
さらには、下部の作業区域に設置する負圧除塵装置の吸気フィルターが詰まり、また、停電により負圧除塵装置が停止して除去作業区域の吸気排気ができない状態になる非常時においても、外部にアスベスト粉塵が流出するおそれがある。
【０００６】
本考案は、上記課題を解決するもので、煙突内に上昇気流が発生する非常時又は除去作業区域の吸気排気ができない状態になる非常時に作業区域の負圧状態を回復でき、アスベスト粉塵の拡散を回避できる非常時用負圧除塵装置を提供することを目的とするものである。
【課題を解決するための手段】
【０００７】
本考案の非常時用負圧除塵装置は、アスベスト断熱材又は吹き付けアスベストを除去する作業区域の負圧状態を監視する負圧監視装置と、負圧監視装置が大気圧へ近づいた状態を検知した時に作動する警報機と、負圧監視装置が大気圧へ近づいた状態を検知した時に作動する負圧除塵装置本体とを備えるようにしたものである。
また、煙突の上部と下部に作業区域を設け、吊り下げ装置に石綿除去装置を取り付けて、煙突内で石綿除去装置を昇降させ、石綿除去装置のノズルから噴射される高圧水でアスベスト断熱材を除去する場合に、煙突の上部の作業区域内又は外部に非常時用負圧除塵装置を設置し、非常時用負圧除塵装置の吸気口に吸引ダクトを設け、警報機が作動したとき、吸引ダクトの開口部を頂部煙突口に挿入するようにしたものである。
【考案の効果】
【０００８】
本考案の非常時用負圧除塵装置は、アスベスト断熱材又は吹き付けアスベストを除去する作業区域を負圧に保つものであり、作業区域が大気圧に近づいた状態において自動で作動するように設定されたものである。これにより、煙突のドラフト（上昇気流）により上部の作業区域の気圧が上昇する場合や作業区域の吸気排気ができない状態になる場合等の非常時に迅速に対応でき、アスベスト粉塵の拡散を回避することができることから、アスベスト除去作業時の安全安心を確保できる。
【図面の簡単な説明】
【０００９】
【図１】本考案の非常時用負圧除塵装置を表わす図である。
【考案を実施するための形態】
【００１０】
本考案は、煙突のドラフト（上昇気流）による上部作業区域の気圧上昇の阻止及びアスベスト粉塵の拡散の回避を実現するものである。
【実施例】
【００１１】
本考案の非常時用負圧除塵装置の一例を図に基づいて説明する。図１は、本考案の非常時用負圧除塵装置を表わす図である。
煙突１２の上部と下部に作業区域１４、１６を設け、ウインチ１８に石綿除去装置２０を取り付けて、煙突１２内で石綿除去装置２０を昇降させ、石綿除去装置２０のノズルから噴射される高圧水でアスベスト断熱材２２を除去する場合に、本考案の非常時用負圧除塵装置１０は、煙突１２の上部の作業区域１４外に設置するものである（図１）。なお、非常時用負圧除塵装置１０は、作業区域１４内に設置してもよい。
石綿除去装置２０は、ワイヤーを介してウインチ１８に取り付けられ、煙突１２内を昇降するものである。下部の作業区域１６の煙突１２には、除去されたアスベスト断熱材２２を取り出す排出口２４が形成されている。上部と下部の作業区域１４、１６は、煙突１２を通じて連通しており、下部の作業区域１６に設置される負圧除塵装置２６により、作業区域１４、１６は負圧状態に保たれる。
【００１２】
非常時用負圧除塵装置１０は、煙突１２の上部の作業区域１４の負圧状態を検知する負圧監視装置２８と、負圧監視装置２８が大気圧へ近づいた状態を検知した時に作動する警報機３０と、負圧監視装置２８が大気圧へ近づいた状態を検知した時に作動する負圧除塵装置本体３２とを備えるものである。また、図１において、負圧除塵装置本体３２の吸気口には、吸引ダクト３４が取り付けられている（図１）。
負圧監視装置２８は、煙突１２の上部の作業区域１４の気圧が負圧状態を検知するものである。負圧除塵装置本体３２は、同じ作業区域１４に設置した負圧監視装置２８が作業区域１４の気圧が大気圧へ近づいた状態を検知した場合に作動するように設定されている。
なお、図１において、負圧雰囲気を取り込む負圧監視装置２８の圧力取り込み口（圧力接続口）には、チューブ２８ａが取り付けられており、作業区域１４の気圧を検知できるようになっている。
【００１３】
警報機（パトランプ）３０は、アスベスト除去作業中に、負圧監視装置２８が上部の作業区域１４が大気圧へ近づいた状態を検知したと同時に点灯するように設定されている。これにより、図１の作業区域１４の作業員は、非常時であることを知ることができ、即座に吸引ダクト３４を頂部煙突口３６に挿入することができる。
吸引ダクト３４の開口部を頂部煙突口３６に挿入することにより、煙突１２の上昇気流による上部の作業区域１４の気圧上昇を阻止することができ、作業区域１４の負圧状態を回復させることができる。また、アスベスト粉塵３８および水蒸気４０の作業区域１４への拡散を回避することができる。
【００１４】
非常時用負圧除塵装置１０を構成する負圧監視装置２８、警報機３０及び負圧除塵装置本体３２の電源は、下部の作業区域１６に設置する負圧除塵装置２６の電源と異なるものを使用する。
また、負圧除塵装置本体３２は、上部の作業区域１４の頂部煙突口３６に隣接する位置に設置され、吸引ダクト３４を除く装置本体３２は作業区域１４の外部に配置する（図１）。
【００１５】
吸引ダクト３４は、負圧除塵装置本体３２の吸気口に取り付ける。また、非常時（除去作業中に下部作業区域の負圧除塵装置が停電で突然停止したり、煙突内の断熱材が大量に剥落し煙突内が断熱材で塞がれることが起こったとき）以外は、取り外し、もしくは、負圧除塵装置本体３２の吸気口に畳んで収容する。
【００１６】
非常時用負圧除塵装置１０による煙突１２内のアスベスト粉塵３８及び水蒸気４０の吸気排気の後、上昇気流の原因を調査し、原因を解消する。下降気流を回復できた場合、負圧除塵装置本体３２は自動的に停止する。
【００１７】
上例においては、煙突の上部と下部に作業区域を設け、吊り下げ装置に石綿除去装置を取り付けて、煙突内で石綿除去装置を昇降させ、石綿除去装置のノズルから噴射される高圧水でアスベスト断熱材を除去する場合に煙突の上部の作業区域に、本考案の非常時用負圧除塵装置を設置する場合について説明したが、これに限るものではない。下部の作業区域や煙突以外の一般建築物内吹き付けアスベスト等の除去作業区域においても設置できるものである。
たとえば、図１において、下部の作業区域１６に本考案の非常時用負圧除塵装置１０を設置することにより、作業区域の吸気排気ができない状態になる非常時（たとえば、負圧除塵装置２６の吸気フィルターが詰まったり、下部の作業区域１６に設置される負圧除塵装置２６が停電等により停止したとき）に、迅速に作業区域の吸気排気を行うことができ、作業区域１６の負圧状態を回復させることができる。また、アスベスト粉塵の作業区域への拡散を回避することができる。
【符号の説明】
【００１８】
１０  非常時用負圧除塵装置
１２  煙突
１４、１６  作業区域
１８  ウインチ
２０  石綿除去装置
２２  アスベスト断熱材
２８  負圧監視装置
３０  警報機
３２  負圧除塵装置本体
３４  吸引ダクト
３６  頂部煙突口
【図１】
0003197063.tif 000003